(57)【要約】  【課題】  除湿効果、省エネ効果に優れ、環境エリアの移動、空間の大きさの変化にも容易に対応できるモバイル空調ユニットを得る。  【解決手段】    シートで空間を内外に仕切り空調するモバイル空調ユニットにおいて、下部にキャスター４が装着された共通架台３と、共通架台３に設置され圧縮機、室外熱交換器、四方弁を有する屋外機２と、屋外機２と冷媒配管５で接続され下部から空気を吸い込み熱交換して側面から吹出す天吊屋内機１と、屋外機２及び天吊屋内機１を駆動する電源と、一側面の略中央に共通架台３が設けられ、対向する側面にのれん型の出入口が設けられ一側面から対向する側面の方向にシートが蛇腹状に伸縮自在となるようにされた移動式テントと、を備える。【選択図】図２
2006125792.tif 000002
【特許請求の範囲】
【請求項１】
シートで空間を内外に仕切り内部を環境エリアとして空調するモバイル空調ユニットにおいて、
下部にキャスターが装着された底部フレームと側部フレームと天井フレームとが備えられた共通架台と、
前記側部フレームに設置され圧縮機、室外熱交換器、四方弁を有する屋外機と、
前記天井フレームに設置され前記屋外機と冷媒配管で接続され室内熱交換器を有し下部から前記環境エリア内の空気を吸い込み前記室内熱交換器で熱交換して側面から吹出す天吊屋内機と、
側部フレームあるいは前記底部フレームに設置され前記屋外機及び前記天吊屋内機を駆動する電源と、
一側面の略中央に前記共通架台が設けられ、対向する側面にのれん型の出入口が設けられ一側面から対向する側面の方向に前記シートが蛇腹状に伸縮自在となるようにされた移動式テントと、
を備えたことを特徴とするモバイル空調ユニット。
【請求項２】
シートで空間を内外に仕切り内部を環境エリアとして空調するモバイル空調ユニットにおいて、
下部にキャスターが装着され門型形状の共通架台と、
前記共通架台の側部に設置され圧縮機、室外熱交換器、四方弁を有する屋外機と、
前記共通架台の上部に設置され前記屋外機と冷媒配管で接続され室内熱交換器を有し下面の中央から前記環境エリア内の空気を吸い込み前記室内熱交換器で熱交換して前記下面の周辺から吹出す天井カセット屋内機と、
前記共通架台の側部あるいは上部に設置され前記屋外機及び前記天井カセット屋内機を駆動する電源と、
一側面の略中央に前記共通架台が設けられ、一側面の左右方向に前記シートが蛇腹状に伸縮自在となるようにされた移動式テントと、
を備えたことを特徴とするモバイル空調ユニット。
【請求項３】
請求項１又は２に記載のものにおいて、前記移動式テントの下部に自在ストッパー機能付のキャスターを設けたことを特徴とするモバイル空調ユニット。
【請求項４】
請求項２に記載のものにおいて、前記移動式テントが前記共通架台の左右に設けられたことを特徴とするモバイル空調ユニット。
【請求項５】
請求項１又は２に記載のものにおいて、前記移動式テントは連結されて環境エリアの拡大が可能とされたことを特徴とするモバイル空調ユニット。
【発明の詳細な説明】
【技術分野】
【０００１】
本発明は、例えば工場等において、建家内の空間に局所的に所定温度の空間を提供するために使用される空調ユニットに関し、特に移動が可能なモバイル空調ユニットに好適である。
【背景技術】
【０００２】
一般的な工場作業改善空調設備は大型空調機よりダクトを利用した局所スポット方式が主流で十分な作業環境を確立する事は困難である。またイニシャル・ランニングコスト面でもかなり費用が発生する。
【０００３】
また、安価で必要な空間だけを簡単に所望の室温とするため、フレームにビニールカーテンを取り付けてブース空間（展示会場・語学教室などで、小さく間仕切りした区画）を内外に仕切り、その上部となる天井材に空調ユニットを設けることが知られ、例えば特許文献１に記載されている。
【０００４】
【特許文献１】特開２０００−１０４９６７号公報
【発明の開示】
【発明が解決しようとする課題】
【０００５】
上記従来技術において、一般的な工場作業改善空調設備である大型空調機よりダクトを利用した局所スポット方式は、イニシャル・ランニングコスト面でもかなり費用が発生し、工期も長くなる。また、特許文献１のものでは除湿機能、省エネの点で充分でなく、作業環境としての広さを確保すること、様々の作業環境、特に様々な広さを持った空間、移動する空間に対応するには困難であった。
【０００６】
本発明の目的は、上記従来技術を解決し、除湿効果、省エネ効果に優れ、環境エリアの移動、空間の大きさの変化にも容易に対応できるモバイル空調ユニットを提供することにある。
【課題を解決するための手段】
【０００７】
上記目的を達成するため本発明は、シートで空間を内外に仕切り内部を環境エリアとして空調するモバイル空調ユニットにおいて、下部にキャスターが装着された底部フレームと側部フレームと天井フレームとが備えられた共通架台と、前記側部フレームに設置され圧縮機、室外熱交換器、四方弁を有する屋外機と、前記天井フレームに設置され前記屋外機と冷媒配管で接続され室内熱交換器を有し下部から前記環境エリア内の空気を吸い込み前記室内熱交換器で熱交換して側面から吹出す天吊屋内機と、側部フレームあるいは前記底部フレームに設置され前記屋外機及び前記天吊屋内機を駆動する電源と、一側面の略中央に前記共通架台が設けられ、対向する側面にのれん型の出入口が設けられ一側面から対向する側面の方向に前記シートが蛇腹状に伸縮自在となるようにされた移動式テントと、を備えたものである。
【０００８】
また、本発明はシートで空間を内外に仕切り内部を環境エリアとして空調するモバイル空調ユニットにおいて、下部にキャスターが装着され門型形状の共通架台と、前記共通架台の側部に設置され圧縮機、室外熱交換器、四方弁を有する屋外機と、前記共通架台の上部に設置され前記屋外機と冷媒配管で接続され室内熱交換器を有し下面の中央から前記環境エリア内の空気を吸い込み前記室内熱交換器で熱交換して前記下面の周辺から吹出す天井カセット屋内機と、前記共通架台の側部あるいは上部に設置され前記屋外機及び前記天井カセット屋内機を駆動する電源と、一側面の略中央に前記共通架台が設けられ、一側面の左右方向に前記シートが蛇腹状に伸縮自在となるようにされた移動式テントと、を備えたものである。
【０００９】
さらに上記のものにおいて、前記移動式テントの下部に自在ストッパー機能付のキャスターを設けたことが望ましい。  
さらに上記のものにおいて、前記移動式テントが前記共通架台の左右に設けられたことが望ましい。
【００１０】
さらに上記のものにおいて、前記移動式テントは連結されて環境エリアの拡大が可能とされたことが望ましい。
【発明の効果】
【００１１】
本発明によれば、伸縮自在のテント内で空気を循環して空調するため、除湿効果に優れ、相対湿度も下げることができ、環境エリア空間の大きさの違いに柔軟に対応できる。
【発明を実施するための最良の形態】
【００１２】
図を参照して、本発明による実施の形態を説明する。  
【実施例１】
【００１３】
図1は、一実施例によるモバイル空調ユニット(側面接続タイプ)のユニット部を示し、共通架台3にキャスター4を装着し、図２に示すように、移動式テント２０の側面に接続される。キャスター4は自在ストッパー機能付とし設置の固定化を図ることができ、共通架台３は鋼製とし、錆び止め塗装に油性塗料を塗布する。
【００１４】
共通架台3に空冷ヒートポンプ式パッケージエアコンである天吊屋内機1と屋外機2を設置され、天吊屋内機1と屋外機2の間に冷媒配管5が接続される。冷媒配管５の保温仕上げは架橋ポリエチレンフォームに塩ビテープ巻き仕上げとされている。天吊屋内機1は、厨房用の天吊パッケージエアコンの室内機が用いられ、下方から移動式テント２０のシートで区切られた空間から空気を吸い込み、屋外機2とで冷凍サイクルを構成し、循環冷媒が天吊屋内機1の室内熱交換器で熱交換されて側面の吹出し口より吹出される。
【００１５】
ドレン配管6は天吊屋内機１からドレンタンク7に接続される。ドレン配管6の差込み材質は差込部分のみ、ドレンホースとしドレンタンク7が容易に脱着可能にしている。差込部分以外は硬質塩化ビニール管としている。ドレンタンク7は半透明ポリタンクのため、ドレン排水貯水量は目視で認識でき、満水時はドレンタンク7を取り出し排水し、空として据え付ける。
【００１６】
ドレン処理を自動化する場合は、ドレンタンク7に変わりドレンポンプ7“を取り付け、自動排水システムにする事が出来る。ドレンポンプ7”の電源は単相２００Ｖとし３相２００Ｖ使用される屋外機２のうち一相が供給される。
【００１７】
図５、６は移動式テント２０のシートを取り外した状態の側面及び正面図を示し、フレームＴ、Ｂ、Ｃ、Ｊが図５で左右方向に蛇腹状に伸縮自在となるように組み合わされる。シートは上部から鎖入りの垂れシートで覆われる。
【００１８】
図７は環境エリアを設置した例を示す平面図であり、図の左側に人の出入りが可能なのれん型の出入口が設けられ、中央に例えば休憩所が設定され、図の上下が図５で示した蛇腹状の部分が対応し、図左右方向では環境エリア空間の大きさを変えることができる。また、図の右側に空調ユニットが設けられ、その上部にはカバーシート２１で覆われ、マジックテープで止められて環境エリア内の密閉を行っている。そして、移動式テント２０の伸縮量に合わせて空調ユニットの能力制御、つまり、伸ばした場合には屋外機２に搭載される圧縮機の運転周波数を縮めた場合に比べて高くして運転を行うので、環境エリア空間の大きさに合わせた省エネ運転とすることができる。
【００１９】
空調ユニットは接続した移動式テント２０内の空気を循環して空調するため、スポットエアコン給気方式と異なり、冷房時には除湿も行い、「サラッ」とした快適空間とすることができる。また、設定温度になると自動的に空調ユニットの屋外機2の圧縮機等を停止すれば良いので、省エネ運転効果がある。
【００２０】
さらに、暖房時は火気を使用しないため、テント火災の恐れもなく安心である。さらに、屋外等電源供給が困難な環境でも燃料式発電機より電源供給されれば運転可能である。施工工期も短縮、生産ラインの変更にも移動式のため容易に対応可能となる。
【実施例２】
【００２１】
図３は、上部取付連結タイプのモバイル空調ユニットを示し、共通架台３を門型に作成し、４隅にキャスター４を装着し、図４に示すように移動式テント２０のほぼ中央に接続される。キャスター４は自在ストッパー機能付とし設置の固定化を図ることができ、共通架台３は鋼製とし、錆び止め塗装に油性塗料を塗布する。
【００２２】
門型共通架台３の上部の中心部に天井カセット屋内機8を取り付け、屋外機２を門型共通架台３の側面下部に設置する。天井カセット屋内機8と屋外機9の間に冷媒配管12を接続し、冷媒配管の保温仕上げは架橋ポリエチレンフォームに塩ビテープ巻き仕上げとしている。ドレン配管13は天井カセット屋内機8からドレンタンク12に接続する。ドレンタンク12にドレン配管14を差込み材質は差込部分のみ、ドレンホースとしドレンタンク12が容易に脱着可能にする。差込部分以外は硬質塩化ビニール管とする。ドレンタンク14は半透明ポリタンクとし、ドレン排水貯水量を目視で認識できる。天井カセット屋内機８は、室内熱交換器を有し下面の中央から環境エリア内の空気を吸い込み室内熱交換器で熱交換して下面の周辺４方向から吹出す。
【００２３】
本例は、天井カセット屋内機8をテント内上部に設置するため、テント内の空間を有効に活用でき、人の活動がより自由となる。また、本ユニットを連結すればより広い環境エリアを構築できるので、連結台数は電源容量・設置スペースが満たされれば無限であり、ロング生産ラインにも対応可能である。したがって、施工工期も短縮でき、生産ラインの変更にも移動式であることも加わって容易に対応可能となる。
【図面の簡単な説明】
【００２４】
【図１】本発明による一実施の形態によるユニット部を示す斜視図。
【図２】一実施の形態によるユニット部を移動式テントに組み込んだ状態を示す斜視図。
【図３】本発明による他の実施の形態によるユニット部を示す斜視図。
【図４】他の実施の形態によるユニット部を移動式テントに組み込んだ状態を示す斜視図。
【図５】一実施の形態による移動式テントのフレーム構造を示す側面図。
【図６】一実施の形態による移動式テントのフレーム構造を示す正面図。
【図７】一実施の形態による環境エリアを示す平面図。
【符号の説明】
【００２５】
１…天吊屋内機、２…屋外機、３…共通架台、４…キャスター、５…冷媒配管、６…ドレン配管、７…ドレンタンク、８…天井カセット屋内機、２０…移動式テント。
【図１】
2006125792.tif 000003
【図２】
2006125792.tif 000004
【図３】
2006125792.tif 000005
【図４】
2006125792.tif 000006
【図５】
2006125792.tif 000007
【図６】
2006125792.tif 000008
【図７】
2006125792.tif 000009